(57)【要約】【課題】  光ディスクへの記録再生中にディスク回転軸に対する歳差運動を加えられた際、コリオリ力により光ディスクに発生する円周方向の面振れを抑圧し記録再生品質を安定化させると共に、装置の小型化が可能な光ディスク装置を提供する。【解決手段】  光ディスクを押圧する圧着爪２４の間隔を従来よりも狭め、且つ、圧着爪当たりに複数の押圧ポイント２３を設けてその間隔を従来より広げたディスク装置を提供する。特に例えば、圧着爪２４の間隔がディスクの中心角（θ３）において鋭角であり、押圧ポイント２３の間隔（θ２）が３５°以上であるディスク装置。【選択図】  図７
2007323785.tif 000002
【特許請求の範囲】
【請求項１】
ディスクを載置するターンテーブルと、前記ディスク中心穴に挿入されるボスと、前記ボスに配置され前記ディスクを押圧する複数の圧着部とを有するディスク装置であって、
前記圧着部は、前記ディスクへの押圧ポイントを前記圧着部１個あたり複数箇所有し、
前記圧着部のうち第１の圧着部の第１の押圧ポイントと当該第１ポイントの隣且つ前記第１の圧着部と異なる第２の圧着部の第２の押圧ポイントとの間隔が、ディスクの中心角において鋭角であるディスク装置。
【請求項２】
請求項１のディスク装置であって、
前記第１ポイントと前記第２の押圧ポイントとの間隔が、ディスクの中心角において６０°以下であるディスク装置。
【請求項３】
請求項１のディスク装置であって、
前記圧着部１個の複数の押圧ポイントの間隔はディスクの中心角において３５°以上であるディスク装置。
【請求項４】
請求項３のディスク装置であって、
前記圧着部１個の複数の押圧ポイントの間隔はディスクの中心角において３５°以上６０°以下であるディスク装置。
【請求項５】
請求項１のディスク装置であって、
前記圧着部を３個有し、且つ、当該各圧着部はディスクの中心角において６０°離れているディスク装置。
【請求項６】
請求項５のディスク装置であって、
前記圧着部の圧着ポイントは、圧着部あたり２個であるディスク装置。
【請求項７】
請求項１のディスク装置であって、
前記複数の圧着部間の間隔と、前記圧着部１個上の複数の圧着ポイント間の間隔とが、ディスクの中心角において略等角であるディスク装置。
【請求項８】
ディスクを押圧する複数の圧着部を有するディスク装置であって、
圧着部の間隔が、ディスクの中心角において鋭角であるディスク装置。
【請求項９】
ディスクを押圧する複数の圧着部を有するディスク装置であって、
前記圧着部は、前記ディスクへの押圧ポイントを前記圧着部１個あたり複数箇所有し、
前記圧着部１個の複数の押圧ポイントの間隔はディスクの中心角において３５°以上であるディスク装置。
【請求項１０】
ディスクを押圧する複数の圧着部を有するディスク装置であって、
前記圧着部のディスク側の形状が円弧状であり且つディスクの円周方向に弾性を有する部材で構成されているディスク装置。
【請求項１１】
請求項１から１０のディスク装置であって、
前記ディスクとして、ＤＶＤ（Digital Versatile Disc）−ＲＡＭ（Random Access Memory）を用いるディスク装置。
【請求項１２】
請求項１から１１のディスク装置であって
映像を入力する撮像部と、
音声を入力するマイクとを有するディスク装置。
【発明の詳細な説明】
【技術分野】
【０００１】
技術分野は、ディスク媒体を使用したディスク装置に係る。特にビデオカメラ等の携帯型の光ディスク装置における歳差運動によるディスクのチルト発生低減に好適なディスク装置に関する。
【背景技術】
【０００２】
ディスク装置において着脱自在のディスクを装着固定する技術として、特許文献１から５がある。
【０００３】
【特許文献１】特開平８−３３５３５１号公報
【特許文献２】特開平８−１９０７５４号公報
【特許文献３】特開平１０−２１６１５号公報
【特許文献４】特開平１１−２１３４９８号公報
【特許文献５】特開平７−２７２３７０号公報
【発明の開示】
【発明が解決しようとする課題】
【０００４】
ここで、ビデオカメラ等の携帯型の光ディスク装置の場合、光ディスクが回転している最中に装置を利用者がローリングさせてしまうことがある。例えば、走り回る子供を追い駆けているときにはビデオカメラは種々の方向に動かされ、特にビデオカメラを前後左右上下に傾ける動きがローリング運動となってしまう。ローリングされると歳差運動となって光ディスクにコリオリ力（Force de Coriolis）が発生する。コリオリ力が発生するとチルトの原因となり、チルトが大きくなると記録再生の品質が劣化するという問題が起る。
【０００５】
ここで、光ディスクドライブを搭載した光ディスクカメラ１を例にして、歳差運動及びコリオリ力、それらによるチルトの発生を説明する。
【０００６】
図２は、光ディスクカメラ１における歳差運動の例を示す。なお歳差運動とは、物体の回転軸が円を描くように振れることをいう。図中のｘ、ｙ、ｚ軸はそれぞれ、ｘ軸が光ディスク２の回転軸、ｙ軸が本カメラを横倒しに回転動作した際の回転軸、ｚ軸が本カメラのパン動作をおこなう際の回転軸を表す。
【０００７】
光ディスクカメラ１で撮影する際、光ディスクカメラには各種のローリング運動が加えられる。ローリング運動を分類すると、上下の首振り動作（ｘ軸回転方向）、横倒し動作（ｙ軸回転方向）、パン動作の横振り（ｚ軸回転方向）などがある。この様々な動作の中で特に、ｘ軸に対して角速度θｘで回転する光ディスク２に対し、ｙ軸、ｚ軸に対して角速度θｙ、θｚの回転成分が発生するような運動を行うと光ディスク２に対する歳差運動となり光ディスク２にコリオリ力が働く。コリオリ力とは、回転する座標系の上で物体が移動した場合に、この物体が移動方向と垂直な方向に移動速度に比例した大きさで受ける慣性力の一種である。本例の場合、回転する座標系が光ディスクカメラの回転（特に度θｙ、θｚ）に相当し、物体が光ディスク２に相当し、移動方向が光ディスクの円周方向（θｘ）に相当するとして説明する。
【０００８】
図３は、光ディスクカメラ１を横倒し動作、すなわちｙ軸方向に角速度θyで動かした場合に、光ディスク２に発生するコリオリ力とその影響でチルトが発生している様子を示す。
【０００９】
回転軸ｘ軸６に対して角速度θｘで回転する光ディスク２に対し、y軸７に対し、θｙの角速度で運動させると、光ディスク２には図３に示すように光学ヘッド３側では上向、反対側では下向きのコリオリ力４が働く。このコリオリ力４により光ディスク２は光学ヘッド３の光軸上ではラジアル方向（半径方向）に傾く。この様に光ディスク２が傾くと、通常は光ディスク２に対し垂直に照射される光学ヘッド３の光軸が、斜めから照射されるようになるため、入射と出射の光軸に対し角度が発生する。この様な光ディスク２と光学ヘッド３から照射される光軸に傾きを生じさせるようなディスクの傾きをチルト５と呼ぶ。
【００１０】
なお、光ディスクカメラ１をパン動作、すなわちｚ軸方向にθｚの角速度で動かした場合には、コリオリ力４が働く場所が９０度ずれるので、光ディスク２は光学ヘッド３の光軸上ではタンジェンシャル方向（接線方向）に傾く。そして、傾きの方向が異なるが同様にチルトが生じる。すなわち、光ディスクのチルトの方向は、光学ヘッド３の光軸に対しラジアル方向（半径方向）とタンジェンシャル方向（接線方向）とがある。
【００１１】
このようなチルトを低減するに当たり、例えば特許文献５のように、光ディスクの光学ヘッド側をターンテーブル上の載置面によって、その反対側をチャッキングプーリーによって、全周をクランプすることも考えられる。しかしながら、特許文献５の技術では、スピンドルモーターとは反対側に別体のチャッキングプーリーを要する。そして、このチャッキングプーリーは、ユーザーが光ディスクを装着する際には、妨げにならない位置にあり、且つ、記録再生時はスピンドルモーターと一体で回転しなければならないので、２つの位置を自在に移動可能な機構が必要であり、装置が複雑化、大型化、コストアップしてしまう。
【００１２】
特に近年は、携帯型の光ディスク再生表示装置やノート型ＰＣ（Personal Computer）やビデオカメラにもＤＶＤ（Digital Versatile Disc）などの光ディスクドライブが用いられており、小型化に対する要求は高い。
【００１３】
一方、小型化に適しているセルフチャッキング方式ではチルトが生じてしまう。セルフチャッキング方式とは、ユーザーが直接ターンテーブルにディスクを装着する方式のことである。その構成は、例えば特許文献１から４などに記載されているが、このような構成ではチルト発生に伴う上述の問題を生じる。
【００１４】
この問題を図１によって説明する。図１は、セルフチャッキング方式の光ディスク装置の断面図を示す。図１においても図３のように光ディスク２に対してコリオリ力４が働いている。光ディスク２の中心穴を通る円筒状のボス１３の側面には開口窓１２を有し、この開口窓１２にラジアル（半径）方向１４に突没可能に圧着爪１１を格納している。ただしボスは円筒状に限らず例えば多角形であってもよい。圧着爪１１は円筒状のボス１３に内蔵された緩衝部材（例えばコイルスプリングや板バネ等）により外周方向へ付勢されている。圧着爪１１と光ディスクとの接触部（押圧ポイント）から前記緩衝部材の付勢力により発生する押圧力８にて光ディスク２の中心穴付近をターンテーブル９側に押圧する。なお圧着爪１１は爪型に限定されず単に凸部であってもよく圧着部ともいう。
【００１５】
ここで、光ディスク２にコリオリ力４ａが働き、光学ヘッド３から離れる方向のチルト５ａが光ディスク２に発生した場合、圧着爪１１がある箇所については、ボス１３に内蔵された緩衝部材によって圧着部１１から発生する押圧力８がコリオリ力４ａに抗するため、チルトの量は比較的小さい。しかし、特許文献１にも示されているように、セルフチャッキング方式では全周に圧着爪１１を設けておらず、例えば３箇所程度であるため圧着爪１１がない箇所がある。圧着爪１１がない箇所では、コリオリ力４ａに抗する押圧力８が働かないため、例えば点線で示すようにチルトの量が比較的大きい。この様に圧着爪１１がある箇所とない箇所との間でチルト量に差が生じることにより円周方向の面振れ１６となる。
【００１６】
なお、光ディスク２にコリオリ力４ｂが働き、光学ヘッド３に近づく方向のチルト５ｂが発生した場合については、ターンテーブル９上の載置面１０が光ディスク２の全周に存在するため、圧着爪１１の有無によるチルト量の差と面触れは発生しない。
【００１７】
圧着爪１１による押圧ポイントが計３点である場合、面振れ１６は、光ディスクの回転周期の３倍周期で発生し、押圧ポイント間の間隔が広いため、コリオリ力による面振れ量も大きくなり、記録再生の品質が劣化するという問題がある。
【００１８】
特に近年、ＤＶＤよりも短焦点で情報を読み取る光ディスク（ＢＤ等）が着目されており、面振れ量がさらに顕著に影響する懸念がある。
【課題を解決するための手段】
【００１９】
そこで例えば、圧着爪の間隔を従来よりも狭めたディスク装置を提供する。
【００２０】
また例えば、圧着爪の複数の押圧ポイントの間隔を従来より広げたディスク装置を提供する。
【発明の効果】
【００２１】
上記手段によれば例えば、歳差運動によりディスクの面振れを抑圧するとともに小型化やコストアップ抑制を図ることができる。
【００２２】
上記以外の課題、手段、効果は後述する実施形態によって明らかにされる。
【発明を実施するための最良の形態】
【００２３】
以下、本発明に好適な実施形態の例を説明する。ただし、本発明は本実施形態に限定されない。例えば、着脱式のディスクであれば、光ディスクに限定されない。
【実施例１】
【００２４】
図４は、光ディスク装置の一例として光ディスクドライブの構成例を示す。この光ディスクドライブは、たとえば映像を入力する撮像部（ＣＣＤやＣＭＯＳなど）と音声を入力するマイクとを備えたビデオカメラ、ＰＣ、レコーダに搭載されるものでビデオカメラ、ＰＣ、レコーダなども総称して光ディスク装置という。
【００２５】
図４（ａ）は光ディスクドライブの正面図、図４（ｂ）は光ディスクドライブの断面図を示す。
【００２６】
図４（ａ）に示すように、光ディスクと一体で回転するスピンドルモーター１８と、光学ヘッド３とがメカシャーシ１９に取り付いた状態である。ここで光学ヘッド３は光ディスクに対しラジアル（半径）方向に移動可能な様に主軸２０と副軸２１の２本の平行棒を介してメカシャーシ１９に取り付いていおり、図示しないステッピングモーターにより、前記ラジアル方向（半径）に駆動される。
【００２７】
図４（ｂ）はスピンドルモーター１８のターンテーブル９周辺の構成を示した断面図であり、ターンテーブル９上の載置面１０にセルフチャッキング方式で光ディスク２が圧着された状態を示す。図４（ｂ）において、図１と同様の符号番号については説明が重複するため省略する。本実施例の圧着爪を図１の圧着爪１１と区別するため、圧着爪２４と称する。また、圧着爪２４の光ディスク２に対する押圧面を２４ａと称する。ターンテーブルの上方にラジアル方向に突没可能な状態で且つ緩衝材にて外周側に付勢された状態で保持された圧着爪が３ヶ所均等な角度で配されており、ユーザーは光ディスクの中心穴を利用して前記圧着爪を内周側に押しのけながら光ディスクをターンテーブルに装着し、装着完すなわち光ディスクとターンテーブルが密着した状態においては前記圧着爪が前記緩衝材の付勢力により再び外周側に戻ると共に光ディスク中心穴上側エッジを押圧する。圧着爪２４の移動方向はラジアル（半径）方向１４である為、当然緩衝部材の付勢力もラジアル方向１４に働き外周方向に付勢するが、圧着爪２４の押圧面２４ａを斜面とすることにより、付勢力の分力が押圧力８の方向にも変換されて発生し、光ディスクを押圧できる。この押圧力により光ディスクとターンテーブルとの間の摩擦力が生じ、滑ることなく一体に回転駆動する。また、付勢力によりラジアル（半径）方向１４の力も発生しているので、光ディスク２に対してもラジアル（半径）方向１４の力が発生し、結果として圧着爪２４のみで光ディスク２への押圧、及びセンタリングが可能となっている。
【００２８】
次に、圧着爪２４の形状を、図５及び図６を用いて詳細に説明する。
【００２９】
図５は圧着爪２４の一例を示し、図５（ａ）は斜視図、図５（ｂ）は図５（ａ）の上面Ａ方向から見たときの断面図である。
【００３０】
本実施例では、圧着爪２４の光ディスク中心穴２２への押圧面２４ａ（斜面）を略平面としている。なぜなら、光ディスク中心穴２２への押圧ポイントを増やすことであり、押圧ポイントを増やすことにより、光ディスク２にコリオリ力が働いた際に発生する面振れ量を抑圧するためである。押圧面２４ａを略平面とすることにより、簡単な加工で光ディスク中心穴２２への押圧ポイント２３を圧着爪２４の両端２点とすることができる。
【００３１】
この略平面について、図６を用いて補足説明する。図６は押圧面が円弧形状の圧着爪の断面図を示し、図６（ａ）は円弧形状の半径が光ディスク中心穴２２よりも大きな圧着爪２４の断面図、図６（ｂ）は円弧形状の半径が光ディスク中心穴２２より小さな圧着爪１５の断面図を示す。
【００３２】
押圧面２４ａを光ディスク中心穴２２と同一半径の円弧面とした場合、円弧面全体が光ディスク中心穴２２の内径と線接触することが期待できる。しかし、実際には光ディスク中心穴２２、及び押圧面１５の円弧面の半径の寸法にはばらつきがあり、線接触するとは限らない。
【００３３】
図６（ｂ）に示すようにボールチャッキング方式の場合や光ディスク中心穴２２の半径が押圧面１５の半径より大きい場合は、押圧ポイント２５は圧着爪１５の中央付近１点となってしまう。
【００３４】
他方、図６（ａ）に示すように光ディスク中心穴２２の半径が押圧面２４ａの半径より小さい場合は、押圧ポイント２５は圧着爪２４の両端２点となる。このように設計しておくことで、光ディスク中心穴２２及び押圧面２４ａの寸法が多少ばらついても、確実に図５（ｂ）や図６（ａ）に示すように押圧ポイントを２点設けることができる。このように、光ディスク中心穴２２の半径が押圧面２４ａの半径より小さい場合にも略平面に含まれるものとする。
【００３５】
これらのように、押圧ポイントを圧着爪１個あたり２箇所とすることで、圧着爪２４の数を増やさずとも圧着ポイントの数を増やし押圧ポイント間の間隔を狭くすることができるので、歳差運動による光ディスクの面振れ量を抑圧するとともに小型化及びコストアップ抑制を図ることができる。
【００３６】
尚、本実施例では、押圧面２４ａを略平面形状としたが、確実に複数点の押圧ポイントができればよく、他の形状にしても構わない。例えば、押圧面２４ａが図６のように光ディスク２の半径方向に凹面形状に形成されていたり、凸面形状に形成され押圧ポイントが３点あってもよい。
【００３７】
続いて、圧着爪２４の押圧ポイントの配置間隔について、図７を用いて説明する。
【００３８】
図７は、光ディスクドライブに光ディスク２を装着した状態の正面図（光ディスクの非データ面から見た図）を示す。
【００３９】
円筒状のボス１３に、突没可能に格納された圧着爪２４がディスクやターンテーブルの中心角でみて略１２０°おきに３箇所あり、且つ押圧面（斜面）は略平面であることを前提とした図である。３つある圧着爪２４（実線）は幅を広くし、圧着爪２４が光ディスク中心穴２２を押圧する押圧ポイント２３の２点間が所定の角度θ２（例えば６０°）である構成とした。
【００４０】
尚、調芯爪２６は光ディスク２のセンタリングを行うものである。調芯爪２６は各圧着爪２４間の略中央に略１２０°おきに３箇所あり、円筒状のボス１３に板バネ状に一体で形成され、光ディスク２装着前は調芯爪２６の先端が光ディスク中心穴２２より外周側にある。調芯爪２６は光ディスク２装着中に光ディスク中心穴２２により撓むとともに、各調芯爪２６に光ディスク中心穴２２を外周方向に付勢する力が発生することにより、光ディスク２をセンタリングする仕組みとなっている。調芯爪２６を独立して設ける理由は、ＣＤ（Compact Disc）の様に１枚の基板で形成されている光ディスク２については、圧着爪２４にて押圧と同時にセンタリングを行うことが可能であるが、ＤＶＤの様に２枚の基板の貼り合わせである光ディスク２については、圧着爪２４は非データ面側の光ディスク中心穴２２を付勢する為、前記２枚の基板に貼りずれが発生した場合、非データ面のセンタリングをしても、肝心なデータ面のセンタリングができないことがあるためである。よって調芯爪２６の先端は光ディスク中心穴２２のデータ面側と接触する様になっている。本実施例はＤＶＤを記録メディアとする光ディスクカメラである為、調芯爪２６を有しているが、他の１枚の基板で形成されている光ディスク２を使用する場合は、調芯爪２６を有する必要はない。
【００４１】
ここで、圧着爪の間隔が広い時に光ディスクが撓み易い傾向について、説明する。力学上の両端を支持した梁に１点荷重が加わった力学モデルによれば、梁に加わる荷重、及び梁の弾性係数が一定ならば、支持点の間隔が広くなる程梁の撓みは大きくなる。逆に支持点の間隔が狭くなる程梁の撓みは小さくなる。よって各圧着爪の押圧ポイント間の間隔が広い程、図１で説明した圧着爪１１がある箇所と無い箇所とで、コリオリ力により光ディスクに発生するチルト量の差が大きくなる傾向、すなわち円周方向の面振れ量が大きくなる傾向にある。
【００４２】
この傾向を抑圧するには、各圧着爪１１の押圧ポイント間の間隔を狭くするとよい。手段として圧着爪１１の数を増やすということがあるが、部品点数が増加しコストＵＰとなる弊害がある。その為、本実施例では圧着爪の数を増やさずとも各圧着爪の押圧ポイントを複数設けた。例えば特に、圧着爪が３個の場合に、θ２を略６０°になるようにすると、押圧ポイント間の間隔の角度θ３とθ２とが同じ間隔になり、歳差運動によるコリオリ力が働いた時の光ディスクの撓みによる面振れ量を更に小さくできる。各圧着爪の間隔が鋭角（９０°以下）であるとしてもよい。
【００４３】
また、本実施例では爪が３つで、爪当たりの押圧ポイントの数を２つとしたが、押圧ポイントの数が３つ以上であってもよい。この場合、「爪同士が６０°間隔で爪当たりの押圧ポイントが２つ」と「爪同士が６０度間隔で爪当たりの押圧ポイントが３つ」とを比較すると、面振れについては、爪同士の間では前者と後者は同様となり、爪部では後者の方が少なくなる。ただし、実際にはディスクや爪の形状のばらつきがあり、３つの押圧ポイント全てがディスクに接触せず、例えば中央の一つの押圧ポイントしか当たらない状態、すなわち図６（ｂ）に近い状態になり得るおそれがあるので２つが実用的である。
【実施例２】
【００４４】
実施例２では、光ディスク２と光学ヘッド３の焦点のずれ量を調整するサーボの特性を加味して、更に詳細にθ２の条件を説明する。すなわち、面振れ量をサーボで抑圧可能な範囲内に抑圧できるようθ２を設定することで、ＤＶＤ光ディスクにおける記録再生の品質への影響を低減することが可能になる。
【００４５】
まず、ＥＣＭＡ（European Computer Manufacturers Association）規格上に記載されているＤＶＤ−ＲＡＭ（Random Access Memory）ディスクの規格で要求するサーボゲインについて図８を用いて説明する。なおＤＶＤ−ＲＡＭを例にして説明するが、本発明はＤＶＤ−ＲＡＭに限定されない。転送速度が同じであればＤＶＤのなかではＤＶＤ−Ｒ、−ＲＷ、＋ＲＷよりもＤＶＤ−ＲＡＭの回転速度が速く、条件が厳しいためこれを例示する。ＨＤ（High-Definition）−ＤＶＤもＤＶＤとの互換性を期待されているため本発明が有効と期待される。また例えば、ＢＤ（Blu-ray Disk）の場合も、光スポットの面積がＤＶＤに比べて約１／５になってトラックピッチの幅が約半分（0.32μｍ）であり、焦点距離も短く、後述するフォーカス残留誤差がＤＶＤより小さく、回転速度がより速くなることが予想され、本発明が有効と期待される。
【００４６】
図８は、ディスク評価用の光ディスク装置に要求されるＤＶＤ規格上のゲイン線図を示す。本線図は横軸に周波数を対数目盛でとり、縦軸にゲインの対数量をとった線図である。ゲインとはサーボの電圧の調整に関する値であり、ゲインＧ（ｄＢ）＝２０ｌｏｇ（入力電圧（Ｖ）／出力電圧（Ｖ））と表現される。ただし、入力と出力は用いる場面により入れ替わることがありうる（＋−の符号が変わるなど）。
【００４７】
図８でフォーカス残留誤差ｅｍａｘ２７は０．２３μｍと規定されている。フォーカス残留誤差とは、サーボで抑圧しきれない光学ヘッド３の光ディスク２に対する焦点距離の誤差である。ゲイン線図２８（一点差線）の水平な部分は光ディスクの面振れ量Ｒ２９を３００μｍ（光ディスク自体の面振れ量＋ターンテーブルの振れ量）とした際、フォーカス残留誤差ｅをｅｍａｘ＝０．２３μｍに抑圧する為の必要開ループゲイン（以下必要ゲイン）を示す。必要ゲインの値は、数式３０に数値を代入することで求まり、６２．３ｄＢである。なお、開ループとは、閉じたループにおいてある箇所のゲインをみる（例えば測定する）といった場合、その箇所においてはループが途切れる為、開ループという。
Ｇ＝２０ｌｏｇ（Ｒ／ｅｍａｘ）・・・数式３０
＝２０ｌｏｇ（３００／０．２３）＝６２．３ｄＢ
また、傾斜部分は高次の一定の面振れ加速度（高周波の面振れ加速度）ａｍａｘ３１を１５ｍ／ｓ＾２とした場合の必要ゲインを示す。数式３２にて各周波数時の必要ゲインが求まる。なおδは面振れ振幅を表し）、ωは角速度を表し、ｆは面振れ周波数を表す。
Ｇ＝２０ｌｏｇ（δ／ｅｍａｘ）                ・・・数式３２
δ＝ａｍａｘ／ω＾２＝ａｍａｘ／（２πｆ）＾２
前記ゲイン線図２８、３２は、光学ヘッド３が静止している状態で、且つ外乱振動が無い状態における必要ゲイン線図であり、これに対し実際の設計は、光ピックアップがラジアル方向に動作し、且つ外乱振動があることを想定し、例えば略＋６ｄＢのマージンを設けている。但し光ディスクにコリオリ力が働いた際に発生する面振れについては考慮されていない。よってゲイン線図２８と３２を＋６ｄＢ以下で抑圧できる様に、光ディスクにコリオリ力が働いた際に発生する面振れ量を抑圧する。
【００４８】
歳差運動により光ディスクに発生するコリオリ力は歳差運動の角速度と光ディスクの回転数に比例するという特性がある。そこで、最も高回転となるＤＶＤ−ＲＡＭでの最悪条件、すなわち最大回転数である最内周のｚｏｎｅ０の領域における角速度略３４０ｒａｄ／ｓ（５４．１Ｈｚ）時に発生する面振れ量が抑圧の対象となる。前記角速度略３４０ｒａｄ／ｓ（５４．１Ｈｚ）となる回転数はＺＣＬＶ（Zone Constant Linear Velocity）で回転制御される２倍速媒体において最も高回転となる条件である。圧着爪３箇所によるセルフチャッキング方式で、各圧着爪の押圧ポイントが１点であったとした場合、光ディスクにコリオリ力が働いた際に発生する面振れの周波数は、光ディスクの回転数の３倍周期、すなわち５４．１Ｈｚの３倍となり約１６０Ｈｚとなる。面振れ周波数が１６０Ｈｚのときに必要なゲインは、数式３２のｆに１６０Ｈｚを代入して求められる。そして、１６０Ｈｚの面振れ発生時の面振れ量の許容値Ｒは、数式３２で求まったゲインに上述のように６ｄＢを足して、数式３０から求められる数式３３のＧに代入することで求められ、約３０μｍである。
Ｒ＝１０＾（Ｇ／２０）・ｅｍａｘ＝約３０μｍ・・・数式３３
次に光ディスクに働くコリオリ力を算出について説明する。図９はコリオリ力算出に当たって図２の光ディスクカメラのモデルを簡素化した参照モデル３４を示す。ｘ、ｙ、ｚ軸は図２と同一である。参照モデル３４及び数式３６で用いる記号を列挙する。
S：上述の通り340rad／ｓ（ディスクの回転角速度）
ψ： rad／ｓ（歳差運動の角速度）
θ： 90°（図２の通り光ディスクカメラ１の場合）
M1：7.2ｇ（8ｃｍＤＶＤディスクの質量）
M2：0.25ｇ（ディスク中心穴に相当する部分の質量）
R1：4ｃｍ（8ｃｍＤＶＤディスクの半径）
R2：0.75ｃｍ（ＤＶＤディスク中心穴の半径）
N：歳差運動により光ディスクに生じるモーメント
Iz：慣性モーメント
F：コリオリ力（光学ヘッドのレンズ中心の真上で働くコリオリ力）
R3：2ｃｍ（光ディスク回転中心から光学ヘッドのレンズ中心までの距離）
これら条件を数式３６に代入することにより、光学ヘッド３のレンズ中心の真上（光軸上）にて、光ディスク２に働くコリオリ力が求まる。
Ｆ=Ｎ／Ｒ３                                        ・・・数式３６
Ｎ＝Ｉｚ・Ｓ・ψ・ｓｉｎθ
Ｉｚ=１／２・（（Ｍ１+Ｍ２）・Ｒ１^２-Ｍ２・Ｒ２^２）
次に光ディスクに前記コリオリ力が生じた際の光ディスクの変形量について説明する。
【００４９】
図１０は両端が支持された梁に荷重が加わった際の梁の変形を表した力学モデルを示す。光ディスクにコリオリ力が働いた際の光ディスクの変形量を求めるに当たり、前記荷重をコリオリ力とし、前記梁を光ディスクとみなすことにより、前記数式を利用できる。前記力学モデルの数式３７に対し、光ディスクにコリオリ力が働いた際の光ディスクの変形量を求める数式は、数式３８となる。
【００５０】
＜両端支持梁の中央に荷重が加わった際の変形量＞
Ｙ＝（２・Ｆ・Ｌ２^２・Ｌ３^２）／（Ｅ・ｂ・ｈ＾３・Ｌ１）・・・数式３７
Ｌ１：支持点間距離
Ｌ２：支持点から力点までの距離
Ｌ３：支持点から力点までの距離
Ｆ：荷重
Ｙ：変形量
Ｅ：ヤング率
Ｉ：断面2次モーメント
Ｙ＝（Ｆ・Ｌ2＾2・Ｌ3＾2）／（6・Ｅ・Ｉ・Ｌ1）
Ｉ＝（ｂ・ｈ＾3）／12（長方形断面）
ｂ：梁の幅
ｈ：梁の厚み
＜コリオリ力による光ディスクの変形量＞
Ｙ＝（２・Ｋ・Ｆ・Ｌ２^２・Ｌ３^２）／（Ｅ・ｂ・ｈ＾３・Ｌ１）・・・数式３８
Ｌ１：圧着爪の押圧ポイント間距離（光学ヘッドのレンズ中心の真上での円弧長）
Ｌ２：0.5Ｌ１
Ｌ３：0.5Ｌ１
Ｆ：コリオリ力
Ｙ：光ディスクの変形量
Ｅ：光ディスクのヤング率＝略2300Mpa
ｂ：光ディスクの幅＝32.5ｍｍ
ｈ：光ディスクの厚み＝1.2ｍｍ
Ｋ：係数
ここで係数Ｋは、直線状の梁に対し、光ディスクは円弧であり、数式３７をそのまま使用することができない為、数式３７を使用する為に与える係数で、実験より求めた値である。また数式３７によると、最も変形量が大きいのは、両端の支持点の中間点に荷重が加わった場合である為、数式３８では押圧ポイント２点間の中間にコリオリ力が働いたものとし、最大変形量を求める様にしている。数式３６と数式３８より、圧着爪３箇所によるセルフチャッキング方式で、圧着爪による押圧ポイントを１点とした場合に発生する１６０ Hzの面振れ量が、数式３３で求めた約３０μｍ以内となる場合の歳差運動の最大角速度を逆算すると、約３．４ rad/sとなる。この意味は、圧着爪３箇所によるセルフチャッキング方式で、圧着爪当たりの押圧ポイントを１点とした場合でも、歳差運動の角速度略３．４ rad/sまでは、記録再生品質への影響ないということを示す。
【００５１】
図１１は、圧着爪による押圧ポイント間の角度と面振れ量との関係の模式図を示す。前記押圧ポイント２点間角度と面振れ量、面振れ周波数との関係について図１１の模式図を用いて説明する。
【００５２】
図１１で波形３９（実線）は、圧着爪当たりの押圧ポイントが１箇所のときの波形を示し、波形４０（点線）は圧着爪による押圧ポイント２点間角度θ２を３５°とした場合の波形、波形４１（一点鎖線）は圧着爪による押圧ポイント２点間角度θ２を４５°とした場合の波形、波形４２（二点鎖線）は圧着爪による押圧ポイント２点間角度θを６０°とした場合の波形をそれぞれ示す。前記各波形で、面振れ量０の箇所は、圧着爪による押圧ポイントである。波形４１、４２の大きな波形は１６０Ｈｚの面振れを示し、小さな波形は３２０Ｈｚの波形を示す。
【００５３】
この様に押圧ポイント２点間角度が０°から６０°にかけて、面振れ量が低減する。面振れ量が低減するとサーボに対するマージンが上がる為、歳差運動に対する耐力が上がる。より詳細に述べると、前記各波形によると、従来の圧着爪１１では、３倍周期すなわち１６０Ｈｚの波形となっており、面振れ量が最大であるのに対し、圧着による押圧ポイント間角度θ２を拡大していくにつれ、１６０Ｈｚの面振れ量が減少していき、代わって３２０Ｈｚの面振れ量が増加していき、圧着爪による押圧ポイント間角度θ２が６０°（等間隔）では、６倍周期すなわち３２０Ｈｚとなると共に面振れ量が最小となることが分かる。６０°以上とした場合には逆位相となり、各爪同士の間隔は狭くなるが、爪単独の押圧ポイント2点間の角度が広くなるので面振れ量が再び増大する。
【００５４】
ただし、６０°で最小となるのは物理的な面振れ量のみで、サーボで抑圧できるかどうかは、この面振れ量に加えて、面振れ周波数にも依存する。たとえ面振れ量が最小となっても、面振れの周波数が高いとサーボで抑圧するのが困難である。数式３２及び３３によると面振れの周期が高周波になる程、サーボで抑圧可能な面振れ量が減少する（言い換えると低周波の面振れであれば、サーボでの抑圧も比較的容易である）。例えば数式３３で求めた１６０ Hzのときの面振れ量約３０μｍに対応する値は３２０Hzでは７．５μｍとなる（押圧ポイントの数が等間隔で増えた場合は、より面振れ量を抑圧することが求められる）。
【００５５】
サーボで抑圧できるよう、１６０Hzと３２０Hzのそれぞれにおいて数式３６と数式３８に数値を代入して最大角速度を求め、小さい方の角速度の値をとると、θ２＝３５°では略９．７ rad/s、θ２＝４５°では略１４ rad/s、θ２＝６０°では略６．９ rad/sとなる。いずれも上述した圧着爪当たりの押圧ポイントを１点とした場合の最大角速度３．４ rad/sを上回り耐力が高いことを示す。
【００５６】
また、θ２＝略４５°を最大にして角度が大きくなっても、小さくなっても最大角速度が減っていく、すなわち歳差運動に対する耐力が減っていくことが分かった。具体的に、約４５°（上記数式では正確には４６．４°）のときに１６０Hｚの最大角速度と３２０Hzの最大角速度とが略等しくなり、４５°以上では３２０Hzの最大角速度が減少し、４５°以下では１６０Hzの最大角速度が減少する。よって４５°付近が各速度の極大となった。以上により、本実施例では実使用上の歳差運動の角速度及び光ディスクの剛性のばらつき等を考慮しつつ、歳差運動に対する耐力を上げる為、θ２が３５°以上６０°以下を好ましい実施例として採用した。
【実施例３】
【００５７】
実施例１及び２にて圧着爪による押圧ポイントを２点とし、更に圧着爪の幅を広げ押圧ポイント２点間の角度を広げることにより、光ディスクにコリオリ力が働いた場合に発生する面振れを抑圧し、歳差運動に対する耐力が上がることを説明したが、ここでは、光ディスク中心穴に圧着爪を線接触させる技術について説明する。
【００５８】
図１２（ａ）と（ｂ）は、それぞれ圧着爪４５の斜視図と断面図を示す。圧着爪４５は、押圧面４６を円周方向４３（矢印方向）に円弧形状とし、円弧の半径は光ディスク中心穴２２の半径と略同一としている。さらに、圧着爪４６を弾性部材とし、押圧部４４は光ディスク中心穴２２と円周方向４３（矢印方向）で線接触するようにした。ここで、弾性を有する部材とは、例えばゴムや軟質のプラスチック等である。
【００５９】
これにより光ディスク中心穴２２、及び押圧面４６の半径の寸法がばらついても、圧着爪４５の押圧部４６が弾性変形することにより、光ディスク中心穴２２に追従する為、図１２（ｂ）の通り確実に光ディスク中心穴２２と押圧面１５との押圧部４４が線接触となる。よって、本実施例では圧着爪４５により押圧している箇所（押圧部４６）については、コリオリ力が働いた際の面振れがあまり発生しない。又、本実施例では圧着爪４５により押圧している箇所が線接触である為、圧着爪４５の両端２点間の角度が６０°以上でも、更なる面振れ抑圧効果が有る。
【００６０】
以上のように、歳差運動により通常であれば面振れが発生する場合でも、本実施例の形態を用いることで面振れを抑圧し、記録再生品質を安定化させると共に、装置の小型化が可能である。
【００６１】
本実施例１から３は、コリオリ力に対して特に有効である。ただし本実施例の構成によれば、コリオリ力以外の慣性（例えば図３において下方向にカメラを動かしたことによってディスクの左右で同じ４ａ方向に生じる慣性）によるディスクのチルトに対しても有効である。
【図面の簡単な説明】
【００６２】
【図１】光ディスクドライブにおけるコリオリ力とチルトと面振れの発生を示す
【図２】光ディスクカメラに対するローリング運動を示す
【図３】光ディスクに対するコリオリ力とチルトの発生を示す
【図４】光ディスクドライブの構成例を示す
【図５】光ディスクドライブの圧着爪の形状例（１）を示す
【図６】光ディスクドライブの圧着爪の形状例（２）を示す
【図７】光ディスクドライブの光ディスク装着した例を正面から示す
【図８】ＤＶＤ−ＲＡＭ規格上のゲイン線例を示す
【図９】コリオリ力を算出するモデルを示す
【図１０】両端が支持された梁に荷重が加わった際の梁の変形を算出するモデルを示す
【図１１】圧着爪による押圧ポイント間の角度と面振れ量との関係例を示す
【図１２】光ディスクドライブの圧着爪の形状例（３）を示す
【符号の説明】
【００６３】
１…光ディスクカメラ、２…光ディスク、３…光学ヘッド、４…コリオリ力、５…チルト、６…ｘ軸、７…ｙ軸、８…押圧力、９…ターンテーブル、１０…載置面、１１、２４、４５…圧着爪、１５、２４ａ、４６…押圧面、２３、２５…押圧ポイント、１２…開口窓、１３…円筒状のボス、１４…ラジアル方向、１６…面振れ、１７…チャッキングプーリー、１８…スピンドルモーター、１９…メカシャーシ、２０…主軸、２１…副軸、２２…光ディスク中心穴、２６…調芯爪、２７…フォーカス残留誤差、２８、３４、３５…ゲイン線図、２９…光ディスクの面振れ量、３０、３２、３３、３６、３７、３８…数式、３１…面振れ加速度、３４…参照モデル、３５…各種条件、３９…押圧ポイント２点間角度２３°≒０°時の面振れ波形、４０…押圧ポイント２点間角度３５°時の面振れ波形、４１…押圧ポイント２点間角度４５°時の面振れ波形、４２…押圧ポイント２点間角度６０°時の面振れ波形、４３…円周方向、４４…押圧部、θ１、θ２…押圧ポイント２点間の角度
【図１】
2007323785.tif 000003
【図２】
2007323785.tif 000004
【図３】
2007323785.tif 000005
【図４】
2007323785.tif 000006
【図５】
2007323785.tif 000007
【図６】
2007323785.tif 000008
【図７】
2007323785.tif 000009
【図８】
2007323785.tif 000010
【図９】
2007323785.tif 000011
【図１０】
2007323785.tif 000012
【図１１】
2007323785.tif 000013
【図１２】
2007323785.tif 000014